(57)【要約】【課題】革靴及び運動靴等の幅広い履物に使用する中敷又は履物底において、足底筋の強化を促し、腰への負担を軽減させる構造を提供する。また、運動時には、下半身の筋力を最大限に引き出し、最も踏ん張りやすい足の形状をつくり出す中敷又は履物底の構造を提供する。【解決手段】足指受入部１、第１の隆起部２、第２の隆起部３、踵受入部４及び平面部５を有する。足指受入部１は各指の腹が配置されるべく５か所の凹部が形成され、第１の隆起部は足指受入部１に近接して幅方向にカーブを描いて形成され、第２の隆起部３は土踏まずの配置位置に長手方向に形成されている。踵受入部４は踵が配置されるべく円形又は略円形の凹部が形成されている。第２の隆起部３の外側の領域は平面５となっている。  重心をかかとに置きながら、５本指で靴底をつかみ、踏ん張る形を実現できる構造となっている。【選択図】図１
2017086975.tif 000002
【特許請求の範囲】
【請求項１】
足指受入部と、隆起部と、踵受入部と、平面部と、を有することを特徴とする靴の中敷又は履物底の構造。
【請求項２】
前記足指受入部は各指の腹が配置されるべく５の凹部が形成され、前記踵受入部は踵が配置されるべく円形又は略円形の凹部が形成されていることを特徴とする請求項１記載の靴の中敷又は履物底の構造。
【請求項３】
前記隆起部は、第１及び第２の隆起部によって構成され、前記第１の隆起部は前記足指受入部に近接して幅方向形成され、前記第２の隆起部は土踏まずの配置位置に長手方向に形成されていることを特徴とする請求項１又は２記載の靴の中敷又は履物底の構造。
【発明の詳細な説明】
【技術分野】
【０００１】
本発明は、トレーニング及びスポーツ時に力を発揮するための足裏矯正を目的とした靴の中敷又は履物底の構造に関する。
【背景技術】
【０００２】
市販の靴の中敷、又は靴、サンダル、草履、スリッパ、足袋、下駄などの履物の底の構造は、土踏まず等に配置したクッション・ゴムが、負荷を吸収して疲れを軽減させるものが多数である。
【先行技術文献】
【特許文献】
【０００３】
【特許文献１】特開２００６−１９８３９９号公報
【特許文献２】特開２０１０−１４８５４０号公報
【発明の概要】
【発明が解決しようとする課題】
【０００４】
土踏まず等にクッション・ゴムを配置した市販の靴の中敷又は履物の底の構造は、疲れを軽減させる程度の効果しか有さず、トレーニング及びスポーツ時に力を発揮するための足裏矯正を目的とする場合は不十分である。
【０００５】
特許文献１には、母趾球部と母趾腹部がそれぞれ当て込める窪みを配設することにより足と履物とをフィットさせ、安定した歩行や走りを可能とする履物又は靴の中敷についての発明が開示されている。また、特許文献２には、踵部分にスポンジ素材の支障片（隆起部）を配置し、適度のつま先立ち運動により足腰をきたえることを課題とする靴の中敷が提案されている。
【０００６】
しかしながら、特許文献１の発明は親指と母趾球の安定のみに焦点を当て、５本の指すべての屈曲と踵部分の重心を考慮していないことから、十分な安定性を確保することができないうえ、股関節が開けなくなり、腰が入らない状態をつくってしまう。また、特許文献２の発明は、踵上げ運動のみに注目するため、バランスのとれた運動効果を期待できないうえに、続けて使用した場合は膝や腰を故障する恐れもある。
【０００７】
本発明は上記の従来品の問題点に鑑み、ウェイトトレーニングにおいて最も重要な三大トレーニングのうちの１つであるデットリフト種目（下半身・背筋・体幹強化）実施時の足裏の意識（踵に重心）及びトップアスリートの足裏の構造（つま先・地面をつかむ）を参考にし、踵に重心をおいた状態から５本指を屈曲の状態に定め、地面をつかみ踏ん張る足の動きを通して、足底筋強化を計り、土踏まずを作り出すことができる靴の中敷又は履物底の構造を提供することを課題とする。
【課題を解決するための手段】
【０００８】
上述の課題を解決するために、請求項１記載の靴の中敷又は履物底の構造は、足指受入部と、隆起部と、踵受入部と、平面部と、を有することを特徴とする。
【０００９】
請求項２記載の靴の中敷又は履物底の構造は、請求項１記載の該構造において、前記足指受入部は各指の腹が配置されるべく５の凹部が形成され、前記踵受入部は踵が配置されるべく円形又は略円形の凹部が形成されていることを特徴とする。
【００１０】
請求項３記載の靴の中敷又は履物底の構造は、請求項１又は２記載の構造において、前記隆起部は、第１及び第２の隆起部によって構成され、前記第１の隆起部は前記足指受入部に近接して幅方向形成され、前記第２の隆起部は土踏まずの配置位置に長手方向に形成されていることを特徴とする
【発明の効果】
【００１１】
ウェイトトレーニング初心者等では、上記デットリフト種目時に、フォームが確立しないまま高重量のトレーニングを行い、腰を負傷するケースが多くみられるが、本発明に係る構造を有する中敷等の使用により、正しい足裏の状態を導きだし、股関節・腰痛予防（背筋が丸まらず、腰を入れることができる）及び各種運動種目の記録向上を期待できる。
【００１２】
本発明に係る構造を有する中敷等の使用により、タオルギャザー（足底筋強化トレーニング）と同じ効果を期待することができ、日常に履くだけで土踏まずをつくり出す。これにより、幼児・児童の偏平足改善予防、老化による足底筋低下を防ぎ、腰痛予防の効果を期待できる。
【００１３】
本発明に係る構造を有する中敷等の使用により、踵に重心を置きながら５本指で地面をつかむ足の動きが実現し、これにより、下半身の筋力を最大限に活かすことのできる足の形状を作り出すことができる。
【００１４】
各種スポーツ競技において、足が使えていないなどの下半身に弱点のあるアスリートは、本発明に係る構造を有する中敷等の使用により、該弱点を改善することが期待できる。
【００１５】
本発明に係る構造を有する中敷等を有する靴を履くだけで、体のバランスを整え、腰や下半身に負担をかけず、疲れにくいという効果も期待できる。
【図面の簡単な説明】
【００１６】
【図１】本実施形態の靴の中敷等の構造を示す平面図（右足用）である。
【図２】本実施形態の靴の中敷等の構造を示す側面図（右足用）である。
【図３】本実施形態の構造を有する靴の中敷等を使用したときの靴内部の足の状態を示すイメージ図である。
【発明を実施するための形態】
【００１７】
本実施形態の中敷等の構造について、各部の詳細と機能を図を用いて説明する。図１乃至３に示すように、本実施形態の中敷等は、足指受入部１、第１の隆起部２、第２の隆起部３、踵受入部４及び平面部５により構成される。
【００１８】
足指受入部１は、５本指が屈曲した際に、それぞれの指が踏ん張るための定位置を与えるもので、１ｍｍ程度の窪みが形成され、印がつけられている。
【００１９】
第１の隆起部２は、最頂部において２．０〜２．５ｃｍ程度の高さを有し、ポリウレタン・エチレン等の酢酸ビニル樹脂（ＥＶＡ）・合成樹脂などのクッション材及びゴム等の弾性を有する素材より成る。５本指が、猿の足のように、しっかりと屈曲し、地面をつかむ状態をつくりだすために設置された隆起である。親指だけに力が入ると股関節が開けなくなり、腰が入らないので、５本の指がそろって屈曲するように、親指側から小指側に向かいカーブをつけて配設されている。
【００２０】
後述の第２の隆起部３（土踏まず）だけでなく、この部分にも第１の隆起部を設置したもう一つの理由は、土踏まずだけではなく、足指の付け根にもクッションを配置することにより、Ｏ脚になりにくい構造にするためである。
【００２１】
第２の隆起部３は、足裏に土踏まずのアーチをつくり出すためのものである。素材は、第１の隆起部２と同じく、クッション材とゴム等を用い、最頂部において２．０〜２．５ｃｍ程度の高さを有する。踵に重心がのるよう、通常の土踏まずの形状よりも高く設定した。股関節を負傷しないようにするためである。
【００２２】
第１の隆起部２、第２の隆起部３の外周縁は、ともに角がないよう丸みを帯びる形で前記クッション材が配置されている。足裏に負荷をかけ過ぎないようにするためである。
【００２３】
踵受入部４は踵の位置を提供するもので、１ｍｍ程度の窪みが設置され、印がつけられている。体の重心が前に行き過ぎると、股関節に負荷がかかりすぎ負傷の原因になるため、足指受入部１より若干低いか又は同等の高さになっている。    この部分の素材は、踵に重心がのっても痛く無いよう、適度にクッション材を用いた。
【００２４】
第２の隆起部３の外側の領域は平面５となっている。この領域を盛り上げてしまうと、股関節が開かなくなり、腰が丸まってしまうので、土踏まずのみ盛り上げて、腰を入れることができるようにして腰痛を予防するとの意図による。
【００２５】
図３は、本実施形態の構造を有する靴の中敷等を使用したときの靴内部の足の状態を示す。重心をかかとに置きながら、５本指で靴底をつかみ、踏ん張る形を実現している。これは、デットリフト時の足の形、及びトップアスリートたちが踏ん張って下半身の力を引き出すときの足の形と同じである。デットリフトでは、地面をつかむという意識だけでなく、５本指を屈曲して立てなければ、かかとに重心が行かず、つま先の方に重心が行ったままになると股関節や腰を壊してしまう。本発明の技術的思想の根幹は、まさにここにある。
【符号の説明】
【００２６】
１    足指受入部
２    第１の隆起部
３    第２の隆起部
４    踵受入部
５    平面部
【図１】
2017086975.tif 000003
【図２】
2017086975.tif 000004
【図３】
2017086975.tif 000005